(57)【要約】【課題】空気の吸入開始後に手動操作によって通気路に大流量の空気を一気に流入させることにより、薬粉収容室内の薬粉を拡散して肺内に確実に投与する。【解決手段】投薬器本体１のキャップ８側には、常時は空気取入れ口８Ｄを弁部１７Ａにより閉塞し、吸入口５から空気の吸入を開始した後に開弁ボタン１７Ｃを手動操作して空気取入れ口８Ｄを開口する吸入開始弁１６を設ける。従って、吸入開始弁１６は、吸入開始直後の勢いの弱い空気流が空気取入れ口８Ｄから流入し、凝集したままの薬粉が吸入口５、口腔内等に落下するのを防止することができる。そして、吸入開始弁１６は、各通路１２，１３等が負圧状態になったときに手動操作で開弁させることにより、このときの負圧を利用して空気取入れ口８Ｄから一気に大流量の空気を流入させ、薬粉を十分に拡散、微粒化して患者に投与することができる。【選択図】        図１
2004290491.tif 000002
【特許請求の範囲】
【請求項１】
軸方向の一側が空気取入れ口となると共に他側が空気と一緒に薬粉を吸入する吸入口となり、途中に薬粉収容室が設けられた投薬器本体と、該投薬器本体の空気取入れ口と吸入口との間を連通し薬粉収容室内の薬粉を吸入口に供給する通気路とからなる吸入式投薬器において、
前記投薬器本体には、常時は空気取入れ口を閉塞し、空気の吸入を開始した後に手動操作により空気取入れ口を開口する吸入開始弁を設ける構成としたことを特徴とする吸入式投薬器。
【請求項２】
前記吸入開始弁は、前記吸入口から空気の吸入を開始して前記通気路が負圧状態となった後に操作する構成としてなる請求項１に記載の吸入式投薬器。
【請求項３】
前記吸入開始弁は、前記空気取入れ口を開閉する弁部と前記投薬器本体の外部に配置され該弁部を開弁方向に操作する開弁ボタンとからなる弁部材と、該弁部材を閉弁方向に付勢するばね部材とによって構成してなる請求項１または２に記載の吸入式投薬器。
【発明の詳細な説明】
【０００１】
【発明の属する技術分野】
本発明は、例えば、患者の息の吸込みによって粉体状の薬品（薬粉）を肺内に投与するのに用いて好適な吸入式投薬器に関する。
【０００２】
【従来の技術】
一般に、喘息患者等の肺に薬品を投与する方法としては、専用の投薬器を用い、薬粉収容室に充填された粉体状の薬品（以下、薬粉という）を吸入する方法が知られている。
【０００３】
また、吸入式投薬器は、軸方向の一側が空気取入れ口となると共に他側が空気と一緒に薬粉を吸入する吸入口となり、途中に薬粉収容室が設けられた投薬器本体と、該投薬器本体の空気取入れ口と吸入口との間を連通し、薬粉収容室内の薬粉を吸入口に供給する通気路とにより大略構成されている（例えば、特許文献１、特許文献２参照）。
【０００４】
【特許文献１】
特表平８−５０９６２６号公報
【特許文献２】
特開平１１−８９９３５号公報
【０００５】
そして、従来技術による吸入式投薬器により薬粉を吸入する場合には、薬粉収容室に薬粉を充填し、吸入口を口にくわえる。この状態で息を吸込むことにより、空気取入れ口から通気路に空気を取入れ、該通気路を流通する空気流によって薬粉収容室内の薬粉を吸入口内に放出し、該吸入口から肺内に吸入する。
【０００６】
【発明が解決しようとする課題】
ところで、上述した従来技術による吸入式投薬器では、吸入口をくわえて空気を吸入すると、吸入開始直後は空気取入れ口から吸込まれる空気の流量は少なく、徐々に流量が増大し安定する傾向にある。従って、吸入開始直後には、流量が少なく勢いの弱い空気流が通気路に流通する可能性がある。
【０００７】
これにより、薬粉収容室内の薬粉は、勢いの弱い空気流により十分に拡散しない状態で吸入口側に流出させるから、凝集したままの薬粉が吸入口、口腔内等に落下して付着してしまう。この結果、従来技術による吸入式投薬器は、薬粉収容室内に充填された規定量の薬粉を肺内に投与することができなくなるという虞がある。
【０００８】
本発明は、上述した従来技術の問題に鑑みなされたもので、本発明の目的は、空気の吸入開始後に手動操作によって通気路に大流量の空気を一気に流入させることにより、薬粉収容室内の薬粉を拡散して肺内に確実に投与できるようにした吸入式投薬器を提供することにある。
【０００９】
【課題を解決するための手段】
上述した課題を解決するために請求項１の発明は、投薬器本体には、常時は空気取入れ口を閉塞し、空気の吸入を開始した後に手動操作により空気取入れ口を開口する吸入開始弁を設ける構成としている。
【００１０】
このように構成したことにより、吸入口をくわえて空気を吸入すると、常時は吸入開始弁が空気取入れ口を閉塞しているから、吸入開始直後の勢いの弱い空気流が空気取入れ口から通気路に流入するのを防止でき、凝集したままの薬粉が吸入口側に流出するのを阻止することができる。
【００１１】
そして、空気の吸入を開始して所定時間経過した後に、吸入開始弁を手動操作により開口させる。このときには空気取入れ口から通気路に大流量の空気を一気に流入させることができるから、薬粉収容室内の薬粉を十分に拡散することができる。これにより、微粒化した薬粉を吸入口側に供給することができ、薬粉収容室に充填された薬粉を例えば患者の肺等に効率よく投与することができる。
【００１２】
また、請求項２の発明は、吸入開始弁は、吸入口から空気の吸入を開始して通気路が負圧状態となった後に操作する構成としている。これにより、通気路が負圧状態となった状態で吸入開始弁を開口させると、この負圧を利用して大流量の空気を一気に薬粉収容室に流入させることができ、薬粉を十分に拡散し、効率よく投与することができる。
【００１３】
さらに、請求項３の発明は、吸入開始弁は、空気取入れ口を開閉する弁部と投薬器本体の外部に配置され該弁部を開弁方向に操作する開弁ボタンとからなる弁部材と、該弁部材を閉弁方向に付勢するばね部材とによって構成している。
【００１４】
このように構成したことにより、常時はばね部材によって弁部材を付勢し、該弁部材の弁部により空気取入れ口を閉塞することができる。また、外部に配置された開弁ボタンを指先で押動操作することにより、ばね部材に抗して弁部を開弁させることができる。これにより、指先の簡単な操作により空気取入れ口を開口させることができ、子供から高齢者まで容易に取扱うことができる。
【００１５】
【発明の実施の形態】
以下、本発明の実施の形態に係る吸入式投薬器について図１ないし図７に従って詳細に説明する。
【００１６】
図１において、１は吸入式投薬器の基部をなす投薬器本体で、該投薬器本体１は、後述するボディ２、吸入口５、カプセルホルダ６、カプセル収容室９等により大略構成されている。
【００１７】
２は投薬器本体１の一側に位置して該投薬器本体１の外形をなすボディで、該ボディ２は、略円筒状に形成された筒状体２Ａと、該筒状体２Ａの外周から図１中の上向きに突設され、後述する穴あけ具１５の支持部１５Ａを可動に支持する長円筒状の穴あけ具ガイド２Ｂとから構成されている。また、筒状体２Ａ他側には、後述の吸入口５が螺着されている。さらに、筒状体２Ａの内周側には後述のホルダ収容部３が形成されている。
【００１８】
３はボディ２の筒状体２Ａ内周側に形成されたホルダ収容部で、該ホルダ収容部３は、後述するカプセルホルダ６のカプセル保持部７を出入れ可能に収容するものである。また、ホルダ収容部３は、図２に示す如く、筒状体２Ａの下側寄りに位置し、該筒状体２Ａの軸方向に伸長した略Ｔ字状の貫通穴として形成されている。
【００１９】
４はホルダ収容部３内の上面側に形成されたカプセル嵌合溝で、該カプセル嵌合溝４は、後述するカプセル保持部７のカプセル嵌合凹部７Ｂと共にカプセル収容室９を形成している。また、カプセル嵌合溝４は、カプセルＫを上側から保持するもので、該カプセルＫの外径寸法に応じた断面半円弧状の溝として形成されている。
【００２０】
５は筒状体２Ａの他側に着脱可能に取付けられた吸入口で、該吸入口５は略円筒状に形成され、その外周面は患者がくわえ易いように他側に向けて漸次縮径している。さらに、吸入口５内にはメッシュ部材５Ａが設けられ、該メッシュ部材５Ａは薬粉を微粒化し、かつカプセルＫの破片を捕捉するもので、細い線材を編み込むことにより形成されている。
【００２１】
６はボディ２に対して着脱可能に設けられたカプセルホルダで、該カプセルホルダ６は、前述したボディ２、吸入口５と共に投薬器本体１を構成している。また、カプセルホルダ６は、後述のカプセル保持部７とキャップ８とから大略構成されている。
【００２２】
７はカプセルホルダ６の本体をなし、ホルダ収容部３に出入れ可能に設けられたカプセル保持部を示している。具体的に、カプセル保持部７は、図３、図４に示す如く、ホルダ収容部３内の上側位置で軸方向に延びて形成された引出し部７Ａと、該引出し部７Ａの上面側に軸方向に長尺な断面半円弧状の凹溝として形成さたカプセル嵌合凹部７Ｂと、前記引出し部７Ａから下側に突出したガイド部７Ｃと、前記引出し部７Ａの一端部を取囲む円環状に形成された環状部７Ｄと、該環状部７Ｄの外周面側に刻設されたねじ部７Ｅと、前記環状部７Ｄを引出し部７Ａに連結するために放射状に形成された複数本、例えば４本の脚部７Ｆと、該各脚部７Ｆ間にそれぞれ形成された通気路の一部をなす開口７Ｇと、前記各脚部７Ｆの中央部分を一側に向け切欠いて形成された凹陥部７Ｈとにより大略構成されている。
【００２３】
８はカプセル保持部７の環状部７Ｄ等を覆うように該カプセル保持部７に取付けられたキャップで、該キャップ８は、筒部８Ａと蓋部８Ｂとから有蓋筒状に形成され、筒部８Ａの内周側には、カプセル保持部７のねじ部７Ｅに螺着するねじ部８Ｃが形成されている。また、蓋部８Ｂの中央には例えば円形状の空気取入れ口８Ｄが設けられ、該空気取入れ口８Ｄは、外部の空気を取入れ、この空気をカプセル保持部７の各開口７Ｇ、流入側通路１２に向け供給するものである。
【００２４】
９はカプセル保持部７をホルダ収容部３内に押込んだときに、カプセル嵌合溝４とカプセル嵌合凹部７Ｂと間に形成される薬粉収容室としてのカプセル収容室（図１、図７中に図示）で、該カプセル収容室９は、カプセルＫを収容して保持するものである。
【００２５】
このように形成されたカプセルホルダ６は、キャップ８外周側を把持してカプセル保持部７を引出すことにより、該カプセル保持部７を引出し位置に配置することができる。そして、この引出し位置では、引出し部７Ａに形成されたカプセル嵌合凹部７Ｂに薬粉が充填されたカプセルＫを嵌合させたり、カプセル嵌合凹部７Ｂから使用済みのカプセルＫを取出したりすることができる。
【００２６】
また、カプセル嵌合凹部７ＢにカプセルＫを嵌合させた状態で、引出し部７Ａをホルダ収容部３内に押込むことにより、図７に示す如く、カプセル保持部７を押込み位置に配置し、カプセルＫをカプセル収容室９で保持することができる。
【００２７】
次に、図１において、１０はカプセル収容室９の一側寄りに位置して設けられた流入側のピン挿入穴で、該ピン挿入穴１０は、カプセル収容室９を径方向に貫通するようにボディ２に形成されたボディ側挿入穴１０Ａと、カプセルホルダ６に形成されたホルダ側挿入穴１０Ｂとにより構成されている。
【００２８】
また、１１はカプセル収容室９の他側寄りに位置して設けられた流出側のピン挿入穴で、該ピン挿入穴１１は、流入側のピン挿入穴１０と平行にカプセル収容室９を貫通したボディ側挿入穴１１Ａとホルダ側挿入穴１１Ｂとにより構成されている。
【００２９】
１２はカプセル収容室９（カプセルＫ）に空気を流入する流入側通路で、該流入側通路１２は、流入側のピン挿入穴１０に連通したボディ側通路１２Ａと、該ボディ側通路１２Ａとは別にホルダ収容部３とカプセル保持部７との間に設けられたホルダ側通路１２Ｂとにより構成されている。そして、流入側通路１２は、カプセル保持部７の各開口７Ｇ、キャップ８の空気取入れ口８Ｄを介して大気側に連通可能となっている。
【００３０】
１３はカプセル収容室９（カプセルＫ）から薬粉を含んだ空気を吸入口５側に流出する流出側通路で、該流出側通路１３は、流出側のピン挿入穴１１に連通したボディ側通路１３Ａと、該ボディ側通路１３Ａとは別にホルダ収容部３とカプセル保持部７との間に設けられたホルダ側通路１３Ｂとにより構成されている。
【００３１】
そして、前述したピン挿入穴１０と流入側通路１２とにより流入側の通気路を構成し、ピン挿入穴１１と流出側通路１３とにより流出側の通気路を構成している。このように、ピン挿入穴１０，１１、流入側通路１２、流出側通路１３およびカプセル保持部７の各開口７Ｇにより、空気取入れ口８Ｄと吸入口５との間を連通している。
【００３２】
一方、１４は各通路１２，１３と９０度ずらした位置でボディ２の筒状体２Ａを軸方向に貫通するように穿設された２本の補助通気路（図２中に図示）で、該各補助通気路１４は、息を吸込むときに流通する空気の流量を増やすことで、このときの息苦しさを解消している。
【００３３】
さらに、１５はボディ２に設けられた穴あけ具で、該穴あけ具１５は、カプセル収容室９に収容されたカプセルＫに穴あけを施すものである。また、穴あけ具１５は、図１に示す如く、ボディ２の穴あけ具ガイド２Ｂ内に可動に支持された支持部１５Ａと、該支持部１５Ａからピン挿入穴１０，１１に向けて延びたピン１５Ｂ，１５Ｂと、前記支持部１５Ａと筒状体２Ａとの間に設けられた戻しばね１５Ｃとにより大略構成されている。
【００３４】
そして、戻しばね１５Ｃは、各ピン１５ＢがカプセルＫから離間する方向に支持部１５Ａを付勢し、カプセルＫの穴あけ後に支持部１５Ａ、各ピン１５Ｂを初期位置まで戻すものである。また、各ピン１５Ｂの先端部は傾斜面によって鋭利な針先形状をなしている。
【００３５】
このように穴あけ具１５は、支持部１５Ａを戻しばね１５Ｃに抗して穴あけ具ガイド２Ｂ内に押込み、ピン１５Ｂ，１５Ｂをピン挿入穴１０，１１に挿入することにより、図７に示す如く、各ピン１５Ｂの先端をカプセル収容室９内のカプセルＫに突き刺し、該カプセルＫに径方向に貫通する４個の穴Ｈをあけるものである。
【００３６】
次に、１６は投薬器本体１を構成するカプセルホルダ６のキャップ８側に設けられた吸入開始弁で、該吸入開始弁１６は、常時は空気取入れ口８Ｄを閉塞し、空気の吸入を開始した後に手動操作により空気取入れ口８Ｄを開口するものである。そして、吸入開始弁１６は、後述の弁部材１７、コイルばね１８により構成されている。
【００３７】
１７はカプセルホルダ６のキャップ８を貫通して設けられた弁部材で、該弁部材１７は、例えば可撓性を有する樹脂材料、ゴム材料等を用いて一体形成されている。また、弁部材１７は、図３、図６に示す如く、カプセル保持部７の凹陥部７Ｈとキャップ８の蓋部８Ｂとの間に設けられ、空気取入れ口８Ｄを開閉する円板状の弁部１７Ａと、該弁部１７Ａの中央部から空気取入れ口８Ｄを通って外部に延びた軸部１７Ｂと、蓋部８Ｂの外側に位置して該軸部１７Ｂの先端側に設けられ、指先等により押動操作される円板状の開弁ボタン１７Ｃと、該開弁ボタン１７Ｃの外周側に位置して蓋部８Ｂ側に突出した複数個、例えば４個の突起１７Ｄとにより構成されている。
【００３８】
ここで、開弁ボタン１７Ｃは、指先でキャップ８側に押動操作することにより、後述するコイルばね１８の付勢力に抗して弁部１７Ａを開弁し、空気取入れ口８Ｄを開口するものである。
【００３９】
また、各突起１７Ｄは、キャップ８の空気取入れ口８Ｄよりも径方向の外側に配置されている。これにより、各突起１７Ｄは、開弁ボタン１７Ｃを押動したときにキャップ８の蓋部８Ｂに当接し、該蓋部８Ｂと開弁ボタン１７Ｃとの間に空気が流通する隙間を確保することができる。
【００４０】
１８はカプセル保持部７の凹陥部７Ｈ底面と弁部材１７の弁部１７Ａとの間に配設されたばね部材としてのコイルばねで、該コイルばね１８は、弁部１７Ａを閉弁方向、即ちキャップ８の蓋部８Ｂに押付けるように付勢するものである。また、コイルばね１８の付勢力は、吸入口５から息を吸込んだ場合でも弁部１７Ａが開弁せず、開弁ボタン１７Ｃを指先で押動したときに弁部１７Ａの開弁を許すように設定されている。
【００４１】
そして、吸入開始弁１６は、図１、図３に示す如く、常時はコイルばね１８の付勢力により弁部材１７の弁部１７Ａをキャップ８の蓋部８Ｂに押付け、空気取入れ口８Ｄを閉塞している。一方、開弁ボタン１７Ｃを指先で押動したときには、図６、図７に示す如く、コイルばね１８に抗して弁部１７Ａを開弁させ、各開口７Ｇとキャップ８の空気取入れ口８Ｄとを連通し、外気の吸込みを許すものである。
【００４２】
また、開弁ボタン１７Ｃは、吸入口５をくわえて空気の吸入を開始し、通気路を構成するピン挿入穴１０，１１、流入側通路１２、流出側通路１３等が負圧状態となった後に押動操作することにより、この負圧を利用して大流量の空気を一気に流入させるものである。
【００４３】
本実施の形態による吸入式投薬器は上述の如き構成を有するもので、次に、患者が薬粉を吸入するときの動作について説明する。
【００４４】
まず、キャップ８を把持してカプセルホルダ６をホルダ収容部３から引出し、カプセル保持部７のカプセル嵌合凹部７ＢにカプセルＫを嵌合させる。この状態で、カプセル保持部７をホルダ収容部３内に押込み、カプセル収容室９にカプセルＫをセットする。次に、穴あけ具１５の支持部１５Ａを穴あけ具ガイド２Ｂに沿って押込むことにより、各ピン１５ＢによりカプセルＫに４個の穴Ｈを形成する。
【００４５】
このようにカプセル収容室９内のカプセルＫに各穴Ｈをあけたら、患者は吸入口５の他側を口にくわえ、この状態で息を吸込む。このときには、吸入開始弁１６を構成する弁部材１７の弁部１７Ａがキャップ８の空気取入れ口８Ｄを閉塞しているから、吸入開始直後の勢いの弱い空気流が空気取入れ口８Ｄから流入するのを防止している。
【００４６】
そして、空気の吸入を開始して所定時間経過し、通気路を構成するピン挿入穴１０，１１、流入側通路１２、流出側通路１３等が負圧状態になったら、図７に示すように吸入開始弁１６の開弁ボタン１７Ｃを手動操作により押動し、空気取入れ口８Ｄを開口させる。
【００４７】
このときには、負圧の作用により空気取入れ口８Ｄから大流量の空気が一気に流入してカプセルＫ内に供給されるから、該カプセルＫ内の薬粉は十分に拡散した状態で吸入口５側に流出する。これにより、カプセルＫに充填された薬粉を微粒化することができ、この薬粉を吸入口５、口腔内等に落下させることなく、患者の肺等に効率よく投与することができる。
【００４８】
かくして、本実施の形態によれば、投薬器本体１のキャップ８側には、通常は空気取入れ口８Ｄを弁部１７Ａにより閉塞し、吸入口５から空気の吸入を開始した後に開弁ボタン１７Ｃを手動操作して空気取入れ口８Ｄを開口する吸入開始弁１６を設ける構成としている。
【００４９】
従って、吸入開始弁１６は、吸入開始直後の勢いの弱い空気流が空気取入れ口８Ｄから流入し、凝集したままの薬粉が吸入口５、口腔内等に落下するのを防止することができる。そして、吸入開始弁１６は、各通路１２，１３等が負圧状態になったときに手動操作で開弁させることにより、このときの負圧を利用して空気取入れ口８Ｄから一気に大流量の空気を流入させ、薬粉を十分に拡散、微粒化することができる。この結果、カプセルＫ内に充填された薬粉の規定量を肺内に効率よく投与することができるから、薬粉の効能を高めることができ、吸入式投薬器に対する信頼性を向上することができる。
【００５０】
また、吸入開始弁１６は、コイルばね１８に抗して弁部材１７の開弁ボタン１７Ｃを指先で押動し、弁部１７Ａを開弁させるという簡単な操作により空気取入れ口８Ｄを開口させることができるから、子供から高齢者まで容易に操作することができる。
【００５１】
さらに、弁部１７Ａ、開弁ボタン１７Ｃ等を一体形成して弁部材１７を構成しているから、該弁部材１７の構成を簡略化でき、カプセルホルダ６への組付け作業も容易に行なうことができる。
【００５２】
なお、実施の形態では、ボディ２からカプセルホルダ６を出し入れしてカプセルＫを着脱する構成とした場合を例に挙げて説明した。しかし、本発明はこれに限らず、例えば、特開平９−２５３２１０号公報のように、カプセル収容室に対しカプセルを直接的に出し入れする構成としてもよい。
【００５３】
また、実施の形態では、吸入口５内に薬粉を拡散するメッシュ部材５Ａを設けた場合を例に挙げて説明した。しかし、本発明はこれに限るものではなく、メッシュ部材５Ａを廃止してもよい。また、特開平１１−２２１２８０号公報、特開２０００−２０２０２８号公報のように、カプセル収容室と吸入口との間に薬粉拡散室を設ける構成としてもよい。
【００５４】
また、実施の形態では、カプセル収容室９内に薬粉が充填されたカプセルＫを収容する構成とした。しかし、本発明はこれに限らず、例えば、投薬器本体に薬粉収容室を設け、該薬粉収容室に薬粉を直接的に充填し、この薬粉を吸入する構成としてもよい。
【００５５】
一方、実施の形態では、吸入開始弁１６は、弁部１７Ａ、開弁ボタン１７Ｃ等を一体形成して弁部材１７を構成した場合を例示している。しかし、本発明はこれに限らず、例えば弁部と開弁ボタンとを別々に設け、接着、ねじ止め等の手段を用いて固着する構成としてもよい。
【００５６】
また、実施の形態では、ばね部材としてコイルばね１８を用いた場合を例に挙げて説明した。しかし、本発明はこれに限るものではなく、例えば皿ばね、ゴムばね等の他のばね部材を用いてもよい。また、ゴムばねを用いる場合には、このゴムばねを弁部材１７と一体に形成する構成としてもよい。
【００５７】
さらに、上記実施の形態から把握し得る請求項以外の技術思想について、以下にその構成及び効果を記載する。
【００５８】
（イ）請求項３に記載の吸入式投薬器において、弁部材の開弁ボタンには、該開弁ボタンを開弁方向に操作したときに投薬器本体に当接して空気取入れ口との間に空気が流通する隙間を確保する突起を設けたことを特徴とする吸入式投薬器。
【００５９】
上記構成によると、開弁ボタンを開弁方向に操作したときには、突起が投薬器本体に当接して隙間を確保するから、この隙間を介して空気取入れ口から確実に空気を取入れることが出きる。
【００６０】
（ロ）請求項３に記載の吸入式投薬器において、弁部材は、可撓性を有する樹脂材料またはゴム材料により弁部と開弁ボタンとを一体形成する構成としたことを特徴とする吸入式投薬器。
【００６１】
上記構成によると、弁部材の構成を簡略化でき、投薬器本体への組付け作業も容易に行なうことができる。
【図面の簡単な説明】
【図１】本発明の実施の形態に係る吸入式投薬器を示す縦断面図である。
【図２】カプセルホルダを取外した投薬器本体の右側面図である。
【図３】カプセルホルダと吸入開始弁とを拡大して示す拡大縦断面図である。
【図４】カプセルホルダを図３中の矢示ＩＶ−ＩＶ方向から示す横断面図である。
【図５】吸入開始弁の弁部材を示す外観斜視図である。
【図６】カプセルホルダと押動操作した吸入開始弁とを示す拡大縦断面図である。
【図７】吸入開始弁を開弁させて吸入口から薬粉を吸入している状態の吸入式投薬器を示す縦断面図である。
【符号の説明】
１  投薬器本体
２  ボディ
５  吸入口
６  カプセルホルダ
７  カプセル保持部
７Ａ  引出し部
７Ｇ  開口（通気路）
７Ｈ  凹陥部
８  キャップ
８Ａ  筒部
８Ｂ  蓋部
８Ｄ  空気取入れ口
９  カプセル収容室（薬粉収容室）
１０，１１  ピン挿入穴（通気路）
１２  流入側通路（通気路）
１３  流出側通路（通気路）
１６  吸入開始弁
１７  弁部材
１７Ａ  弁部
１７Ｂ  軸部
１７Ｃ  開弁ボタン
１７Ｄ  突起
１８  コイルばね（ばね部材）
【図１】
2004290491.tif 000003
【図２】
2004290491.tif 000004
【図３】
2004290491.tif 000005
【図４】
2004290491.tif 000006
【図５】
2004290491.tif 000007
【図６】
2004290491.tif 000008
【図７】
2004290491.tif 000009